(57)【要約】【課題】この発明は、簡易な構成で、高精度な密着精度を実現して、堅牢で、外観品質の高品質化を実現し得るようにすることにある。【解決手段】透明性材料で形成したハンドル部１１のシート本体１２の内側に、該シート本体１２に比して高強度の芯部材１５を配し、このシート部材１２と芯部材１５との間に被膜１４を介在して接着するように構成した。【選択図】    図１
2005013154.tif 000002
【特許請求の範囲】
【請求項１】
透明性材料で形成された本体の内側に、該本体に比して高強度の芯部材を配し、前記本体と前記芯部材との間に被膜を形成したことを特徴とする魚釣り用部品。
【請求項２】
前記被膜は、顔料又は粒子の少なくとも一方を混合したことを特徴とする請求項１記載の魚釣り用部品。
【請求項３】
前記被膜には、装飾層が設けられていることを特徴とする請求項１又は２記載の魚釣り用部品。
【請求項４】
前記被膜は、少なくとも前記本体との接着面に平滑処理が施され、前記本体との溶解性パラメータ（ＳＰ値）の差が４未満に設定されることを特徴とする請求項１乃至３のいずれか記載の魚釣り用部品。
【請求項５】
前記芯部材は、繊維強化プラスチックで略筒体状に形成されることを特徴とする請求項１乃至４のいずれか記載の魚釣り用部品。
【発明の詳細な説明】
【０００１】
【発明の属する技術分野】
この発明は、例えば釣竿のグリップやリール脚固定シート等の魚釣り用部品に関する。
【０００２】
【従来の技術】
一般に、この種の魚釣り用部品である釣竿用グリップは、柔軟性を有する筒体で形成され、この筒体が、竿本体の尻管に嵌め込まれる。このような釣竿用グリップは、最近、筒体を、樹脂等の透明材料で形成し、筒体を通して、例えば竿本体に配した文字等の表示が視認可能に構成される（例えば、特許文献１参照。）。
【０００３】
【特許文献１】
特開平９−２７５８５８号公報
【０００４】
【発明が解決しようとする課題】
しかしながら、上記釣竿用グリップでは、その筒体を透明材料で形成した場合、外観から竿本体まで直接的に視認可能なため、その筒体と竿本体との間に発生する部分剥離等により外観品質不良が発生し易く、その製作が煩雑であるという不都合を有する。
【０００５】
係る事情は、上記釣竿用グリップに限るものでなく、例えばリール脚固定シートや板状シート等の透明性材料で本体を形成して、この本体内の内側に芯部材を配する各種の魚釣り用部品においても同様である。
【０００６】
この発明は、上記の事情に鑑みてなされたもので、簡易な構成で、高精度な密着精度を実現して、堅牢で、外観品質の高品質化を実現し得るようにした魚釣り用部品を提供することを目的とする。
【０００７】
【課題を解決するための手段】
この発明の魚釣り用部品は、透明性材料で形成された本体の内側に、該本体に比して高強度の芯部材を配し、前記本体と前記芯部材との間に被膜を形成するように構成した。
【０００８】
上記構成によれば、本体と芯部材との間には、被膜が配されていることにより、該被膜が接着幇助手段となり、相互間の安定した高精度な接着が可能となる。従って、本体と芯部材とは、接着不良個所の発生が防止されて、堅牢な接着が実現され、高品質な外観品質を得ることができる。
【０００９】
【発明の実施の形態】
以下、この発明の実施の形態について、図面を参照して詳細に説明する。
【００１０】
図１は、この発明の一実施の形態に係る魚釣り用部品としてのリール脚固定シートを取り出して示すもので、釣竿を構成する竿管１０には、その竿尻部にハンドル部１１が、例えば接着等の接着手法により取付けられる。このハンドル部１１は、その本体を構成する、図示しない魚釣り用リールが着脱されるシート本体１２と、このシート本体１２の竿尻側部分に後方握り部１３が形成されている。、このシート本体１２は、例えばナイロン、ＡＢＳ樹脂、ポリカーボネート等の透明樹脂材料や透明ガラス等の透明性材料で成形される。
【００１１】
上記後方握り部１３は、上記シート本体１２の材料と同等以上の軟質の材料によって形成され、シート本体１２の外周面に連なる外周形状を有する。また、シート本体１２には、その内部に接着幇助用の被膜１４が被着された筒状の芯部材１５が挿着される（図２参照）。
【００１２】
この芯部材１５には、例えば被膜等により隔壁の如き隠蔽部１５１が上記シート本体１２及び後方握り部１３に対応して設けられ、この隠蔽部１５１がシート本体１２と後方握り部１３との間に介在される。また、シート本体１２には、例えばその先方端面もに同様の隠蔽用被膜部（図の都合上、図示せず）が形成される。これにより、シート本体１２は、視覚的に後方握り部１３及び後述する前方握り部１６と分離される。
【００１３】
また、上記シート本体１２の先端部には、螺合部１２１が形成され、この螺合部１２１には、移動フードを兼用する前方握り部（ナット）１６が螺合自在に組付けられる。この前方握り部１６には、その内面に螺合部１６１が形成され、この螺合部１６１が上記シート本体１２の螺合部１２１に螺合されて組付けられることにより、シート本体１２上が軸方向に移動調整される。
【００１４】
さらに、上記シート本体１２には、その中間部の一側に図示しないリールの取付脚部を載置するリール脚載置部１２２が設けられ、このリール脚載置部１２２の後端部には、固定フードを構成する上記リールの取付脚部（図示せず）の後端部が挿入されて係止する開口１２３が設けられる。そして、上記前方握り部１６の後端側内周部には、後端方向に拡径する傾斜面状に竿尻方向に向かって穿設された開口１６２が、上記リール脚載置部１２２の開口１２３に対応して設けられる。
【００１５】
これにより、上記リールの取付脚部（図示せず）は、上記シート本体１２のリール脚載置部１２２に載置し、その両端部を、リール脚載置部１２２の開口１２３及び前方握り部の開口１６２に差し込んだ状態で、前方握り部１６を締め付けて後方方向に移動させることで、該リール脚載置部１２２上に位置決めして取付けられる。
【００１６】
上記シート本体１２には、トリガー１２４が上記リール脚載置部１２２に対向する一側に突設され、このトリガー１２４の先端側近傍の所定の位置に湾曲凸部１２５が設けられる。さらに、シート本体１２には、一対の凹部１２６，１２６が上記湾曲凸部１２５を挟んで設けられ、これら湾曲凸部１２５、一対の凹部１２６，１２６を手にすることにより、リール全体を手で握り込んで操作する、いわゆるパーミング操作が行われる。そして、シート本体１２は、その開口１２３及びトリガー１２４の近傍が側方に張り出した幅広の形状に形成され、その中間部が略扁平な形状に形成される。
【００１７】
また、上記シート本体１２内には、例えばインサート成形等の成形手法により、上記芯部材１５が内装され、このシート本体１２と芯部材１５との間には、上述したように被膜１４が介在される（図２参照）。このうち芯部材１５は、上記ハンドル部１１のシート本体１２より高強度な繊維強化プラスチック（ＦＲＰ）、金属材料、繊維強化金属（ＦＲＭ）、高強度プラスチック等で形成される。
【００１８】
他方の被膜１４は、上記芯部材より密着性に優れたエポキシ樹脂、ウレタン樹脂、アクリルウレタン樹脂等の塗料又は接着剤で、例えば顔料又は粒子の少なくとも一方が、混合されて膜厚が４〜４０μに形成され、上記シート本体１２との溶け易さを示す溶解パラメータ（ＳＰ値）の差が、例えば４未満となるように材料選定される。例えば被膜１４を、ＳＰ値が１０，０のポリウレタンで形成すると、シート本体１２を、ＳＰ値が１１．６〜１２．７のナイロン６あるいはナイロン６６で形成する。これにより、被膜１４は、その全周面がシート本体１２と均一的に溶解されて相互間が接着されることにより、相互間の高品質な接着が可能となる。
【００１９】
そして、被膜１４は、少なくとも顔料又は粒子の一方を混合することで、任意の色設定が容易となり、そのデザイン上の多様化が容易に可能となり、その設計を含む製作の容易化の促進が図れる。
【００２０】
また、被膜１４には、選択的に装飾層が設けられる。この装飾層には、文字、ロゴ、マークを含む模様等の装飾が施される。これにより、デザインを含む設計の自由度の向上を図ることが可能となる。
【００２１】
さらに、芯部材１５に被着された被膜１４は、そのシート本体１２との接着面が、例えばサンドペーパ８０番より細かな所望の平滑度に形成して、上述したようにインサート成形等により上記シート本体１２内に内装するようにしてもよい。これによると、シート本体１２と被膜１４とは、その平滑度に応じて相互間の密着度が高められることにより、さらに接着性能の向上が図れる。
【００２２】
上記構成により、被膜１４は、上記芯部材１５の周囲に被着され、該芯部材１５と共にハンドル部１１のシート本体１２内にインサート成形されると、該シート本体１２内面と均一的に当接されて未接着部位が殆ど発生させることなく、芯部材１５と、シート本体１２との間の堅牢な接着に寄与する。この結果、芯部材１５とシート本体１２とは、剥離箇所等の接着不良の存在しない視認性に優れた高品質な接着が実現される。
【００２３】
これにより、被膜１４は、芯部材１５とシート本体１２との接着状態において、その装飾層の装飾のみがハンドル部のシート本体１２の外側から容易に視認することが可能となる。この際、被膜１４に施した模様を含む装飾は、上記シート本体１２がレンズ効果を奏し、拡大されて浮き上がる如く視認される。このレンズ効果は、シート本体１２の厚さ等を適宜に調整することにより、目的に応じた設定が可能となる。
【００２４】
このように、上記魚釣り用部品は、透明性材料で形成したハンドル部１１のシート本体１２の内側に、該シート本体１２に比して高強度の芯部材１５を配し、このシート本体１２と芯部材１５との間に被膜１４を介在して接着するように構成した。
【００２５】
これによれば、シート本体１２と芯部材１５との間には、被膜１４が配されていることにより、該被膜１４が接着幇助手段となり、シート本体１２が該被膜１４に対して均一的に当接されて未接着部位が殆ど発生することなく、安定した高精度な接着が実現される。この結果、堅牢な接着が実現されると共に、外観品質の高品質化の促進が図れる。
【００２６】
なお、上記実施の形態では、リール脚固定シートに適用した場合で説明したが、これに限ることなく、その他、例えば図３に示すように釣竿用グリップに適用することも可能で、略同様の効果を期待することができる。
【００２７】
すなわち、竿管２０の竿尻部に外装される筒状の芯部材２１には、その外周面に接着幇助用の被膜２２が被着される。そして、この被膜２２の形成された筒状の芯部材２１は、本体であるグリップ本体２３にインサート成形される。このグリップ本体２３に内装された芯部材２１は、上記竿管２０の竿尻部に外装されて接着固定され、グリップ本体２３の竿尻側には、エンドキャップ２４が取付けられる。
【００２８】
ここで、グリップ本体２３は、例えばナイロン、ＡＢＳ樹脂、ポリカーボネート、アクリル等の透明樹脂材料や透明ガラス等の透明性材料で成形される。そして、芯部材２１は、グリップ本体２３より高強度な繊維強化プラスチック（ＦＲＰ）、金属材料、繊維強化金属（ＦＲＭ）、高強度プラスチック等で形成される。
【００２９】
また、芯部材２１上に被着される被膜２２は、該芯部材２１より密着性に優れたエポキシ樹脂、ウレタン樹脂、アクリルウレタン樹脂等の塗料又は接着剤で、例えば顔料又は粒子の少なくとも一方が、混合されて膜厚が４〜４０μに形成され、上記グリップ本体２３との溶け易さを示す溶解パラメータ（ＳＰ値）の差が、例えば４未満となるように材料選定される。そして、この被膜２２には、上述したように文字や、模様等の装飾を施した装飾層が選択的に設けられ、そのグリップ本体２３との接着面が、例えばサンドペーパ８０番より細かな所望の平滑度に形成される。また、この被膜２２の平滑処理としては、その他、例えば塗料を塗布して所望の平滑度に形成するようにしてもよい。
【００３０】
上記構成により、被膜２２は、上記芯部材２１の周囲に被着され、該芯部材２１と共にグリップ本体２３内にインサート成形されると、該グリップ本体２３内面と均一的に当接されて未接着部位を殆ど発生させることなく、芯部材２１とグリップ本体２３との間の堅牢な接着に寄与する。この結果、芯部材２１とグリップ部材２３とは、剥離箇所等の接着不良の存在しない視認性に優れた高品質な接着が実現される。
【００３１】
これにより、被膜は、芯部材２１とグリップ本体２３との接着状態において、その装飾層あるいは模様のみがグリップ本体２３の外側から容易に視認することが可能となる。この際、被膜に施した装飾あるいは模様は、上記グリップ本体２３がレンズ効果を奏し、拡大されて浮き上がる如く視認される。このレンズ効果は、グリップ部２３の厚さ等を適宜に調整することにより、目的に応じた設定が可能となる。
【００３２】
また、上記実施の形態では、リール脚固定シート、魚釣り用グリップに適用した場合について説明したが、これに限ることなく、その他、板状シート等の各種の魚釣り用部品においても適用可能であり、いずれの場合にも略同様の効果を期待することができる。
【００３３】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３４】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００３５】
【発明の効果】
以上詳述したように、この発明によれば、簡易な構成で、高精度な密着精度を実現して、堅牢で、外観品質の高品質化を実現し得るようにした魚釣り用部品を提供することができる。
【図面の簡単な説明】
【図１】この発明の一実施の形態に係る魚釣り用部品を適用したリール脚固定シートを断面して示した断面図である。
【図２】図１の一部を拡大して示した断面図である。
【図３】この発明の他の実施の形態に係る魚釣り用部品を適用した魚釣り用グリップの一部を断面して示した断面図である。
【符号の説明】
１０…竿管、１１…ハンドル部、１２…シート本体、１２１…螺合部、１２２…リール脚載置部、１２３…開口、１２４…トリガー、１２５…湾曲凸部、１２６…凹部、１３…後方握り部、１４…被膜、１５…芯部材、１５１…隠蔽部、１６…前方握り部、１６１…螺合部、１６２…開口、２０…竿管、２１…芯部材、２２…被膜、２３…グリップ本体、２４…エンドキャップ。
【図１】
2005013154.tif 000003
【図２】
2005013154.tif 000004
【図３】
2005013154.tif 000005